(57)【要約】      （修正有）【課題】水切りが換気棟に取り付けられているため、水切りを建造物に取り付けることができない金属屋根にも換気棟を取り付けることができ、さらに縦葺きや横葺きの金属屋根にも取り付けることができる。また、設置面である中空体の底面が延長されるように形成されているため、急勾配、緩勾配を問わず、取り付けることができる換気棟を提供する。【解決手段】換気棟は、山型の傾斜面とその傾斜面に開孔する本体部通気孔を有する本体部１１と、本体部通気孔１５を含む傾斜面を上面として中空体２２を形成する受部とからなり、中空体の底面と建造物に取り付けた設置材６とを固定する。外部から雨水等の流入を防ぐための水切り３１を中空体の底面を延長するように取り付ける。【選択図】図７
0003170580.tif 000002
【実用新案登録請求の範囲】
【請求項１】
建造物の頂上部付近を開口する開口部周辺に配置し、開口部からの屋内気を換気する換気棟であって、
換気棟は、本体部と受部とからなり、
本体部は、屋根の傾斜に沿った傾斜面と、その傾斜面の傾斜方向の下方で開孔する本体部通気孔と、前記本体部通気孔の下方に位置し傾斜面の傾斜方向へ傾斜しつつ本体部通気孔の一部を遮蔽する遮断壁とを有し、
受部は、本体部通気孔を含む傾斜面の下方に位置し、前記傾斜面とほぼ同じ傾斜角度となる底面を有する中空体を形成するもので、この中空体に屋内気を通気する中空体通気部分と、中空体の外方に雨水等を排出する排出孔を有し、
前記受部の底面を開口部周辺まで延長する水切りを有することを特徴とする換気棟。
【請求項２】
水切りは、受部と独立した別部材であって、受部の底面の裏面側に取り付けることにより、中空体の底面を開口部周辺まで延長することを特徴とする請求項１に記載の換気棟。
【請求項３】
受部の底面、若しくは、水切りの表面側に熱膨張材を配置したことを特徴とする請求項１又は２に記載の換気棟。
【考案の詳細な説明】
【技術分野】
【０００１】
本考案は、主として建造物の頂部に取り付けるものであって、金属屋根に取り付けることができ、さらに急勾配の屋根にも安定的に取り付けることができる換気棟を提供する。
【背景技術】
【０００２】
従来、屋根下への雨水の浸入を防ぎながら、屋根下への自然換気を行うことができる換気棟の先行技術が存在した。
【考案の概要】
【考案が解決しようとする課題】
【０００３】
従来の換気棟は、野地板、屋根板を有する木造や瓦の屋根を有する建造物に対して取り付けるものが多かった。野地板、屋根板を有する木造や瓦の屋根を有する建造物は、野地板の下側に水切り材を挟み込んで固定することはできるが、金属屋根の場合には野地板の下側に水切り材を挟み込むことはできない。
【０００４】
しかも、緩勾配の屋根と急勾配の屋根の両方に安定的に換気棟を取り付けることは難しかった。つまり、中空体を設置材に固定することで換気棟を建造物に取り付けていたが、急勾配の屋根の場合、設置材がより開口部側に位置することになり、中空体を安定的に固定することが難しくなる。これは、中空体が本体部通気孔から屋内気を通気させるものであるから、雨水などの流入を防ぐために、本体部のより外方に位置させる必要があるが、急勾配になると、設置材をより開口部側に取り付けざるを得ないので、安定的に固定できなくなるためである。
【０００５】
そこで、金属屋根に取り付けることができ、急勾配にも対応できる換気棟が必要とされていた。
【課題を解決するための手段】
【０００６】
そこで、本考案の換気棟は、建造物の頂上部付近を開口する開口部周辺に配置し、開口部からの屋内気を換気する換気棟であって、換気棟は、本体部と受部とからなり、本体部は、屋根の傾斜に沿った傾斜面と、その傾斜面の傾斜方向の下方で開孔する本体部通気孔と、前記本体部通気孔の下方に位置し傾斜面の傾斜方向へ傾斜しつつ本体部通気孔の一部を遮蔽する遮断壁とを有し、受部は、本体部通気孔を含む傾斜面の下方に位置し、前記傾斜面とほぼ同じ傾斜角度となる底面を有する中空体を形成するもので、この中空体に屋内気を通気する中空体通気部分と、中空体の外方に雨水等を排出する排出孔を有し、前記受部の底面を開口部周辺まで延長する水切りを有することを特徴とする。
【０００７】
また、水切りは、受部と独立した別部材であって、受部の底面の裏面側に取り付けることにより、中空体の底面を開口部周辺まで延長することが好ましい。  
【０００８】
また、受部の底面、若しくは、水切りの表面側に熱膨張材を配置したことが好ましい。
【考案の効果】
【０００９】
請求項１に記載の換気棟によると、水切りが中空体の底面から延長されているので、設置材に取り付ける部分を広く確保することができ、急勾配の屋根にも安定的に取り付けることができる。
また、水切りが換気棟に直接取り付けられているので、水切りを野地板に取り付けられない金属屋根においても、換気棟を取り付けることができる。
さらに、施工業者が水切りを野地板に取り付ける必要性がなくなり、少ない施工過程で取り付けることができる。
【００１０】
請求項２に記載の換気棟により、野地板に水切りを取り付けることができる場合に、適宜水切りを取り外すことができ、柔軟な施工が可能になる。
【００１１】
請求項３に記載の換気棟により、中空体の底面を延長したことで、熱膨張材を設置し易くなる。また、いったん熱膨張材が膨張した場合にも、換気棟自体を取り替えることで、新たに設置することができ、施工し易い換気棟とすることができる。
【図面の簡単な説明】
【００１２】
【図１】本考案の換気棟の全体斜視図である。
【図２】本考案の換気棟の各部材、カバー、建造物の開口部を示す斜視図である。
【図３】換気棟の本体部を示す一部拡大斜視図である。
【図４】換気棟の受部に水切りを取り付けた状態を示す一部拡大斜視図である。
【図５】換気棟の受部と水切りを一体とした第二実施例を示す一部拡大斜視図である。
【図６】換気棟のカバーを示す一部拡大斜視図である。
【図７】換気棟を横葺きの金属屋根に取り付けた状態を示す正面図である。
【図８】換気棟を縦葺きの金属屋根に取り付けた状態を示す正面図である。
【図９】換気棟を緩勾配の屋根に取り付けた状態を示す正面図である。
【図１０】換気棟の通気路示す正面図である。
【図１１】換気棟に熱膨張材を取り付けた状態を示す正面図である。
【考案を実施するための形態】
【００１３】
本考案の実施の一例を図面に沿って説明する。
図１に示すように、本考案の換気棟１は、その上側にカバー２を取り付けて使用する。換気棟１は、中央部分から左右方向へ傾斜する山型の形状を有し、長手方向へ一定の長さを有するものである。換気棟１の材質は、ガルバリウム鋼板とするのが好ましいが、必ずしもこの材質のみに限定されるものではなくその他の鋼板であってもよい。
【００１４】
図２に示すように、本考案の換気棟１は、本体部１１、受部２１、２１、水切り３１、３１を組み合わせて形成する。さらに、本体部１１の傾斜面１２、１２の所定位置にカバー取付台４１、４１を取り付けたうえで、カバー２を取り付ける。
【００１５】
換気棟１を取り付けるために、建造物の一部を開口する。図２に示す建造物の屋根は、横葺きの金属屋根３、３を用いたものである。この金属屋根３、３とその下に位置する野地板４、４を屋根の傾斜方向へ移動させて、屋根の頂部分を開口して開口部５とする。  開口部５の両側に、金属屋根３、３の傾斜方向に沿って換気棟１を固定するための設置材６、６を、所定間隔をもって配置する。
【００１６】
図３に示すように、換気棟１の本体部１１は、中央位置１７から傾斜する山型の形状であり、その傾斜する傾斜面１２、１２と、その傾斜面の端部を立ち上げるように連続して形成する立ち上がり面１３、１３を有する。その立ち上がり面１３、１３の下端からさらに連続して傾斜面とほぼ同じ傾斜する方向へ延長する折り返し延長面１４、１４を形成する。そして、本体部１１の傾斜面１２、１２の傾斜方向下側の一部を開孔して、本体部通気孔１５、１５を形成する。
【００１７】
図７に示すように、換気棟１を建造物に取り付けた場合、本体部１１の中央位置１７の下側に開口部５が位置する。また、傾斜面１２、１２の傾斜方向の下側に本体部通気孔１５、１５を開孔しており、本体部通気孔１５、１５から流入する雨水が開口部５に入ることを防止する必要があるから、傾斜面１２、１２の傾斜方向の長さは、傾斜方向の下側にある本体部通気孔１５、１５が開口部５の上方付近に位置しないような長さが必要となる。
【００１８】
図３、図７に示すように、立ち上がり面１３、１３は、中空体２２、２２を取り付けるための、一定の高さを必要とするものである。折り返し延長面１４、１４は、本体部１１のうち、その中央位置１７から傾斜方向両側の端部を折り返して形成されている。  この折り返し延長面１４、１４は、施工者が施工するときに、換気棟１を両側から持つことが多いために、鋼板のエッジにより怪我をしないように折り返してアール状としたものである。
【００１９】
図３に示すように、本体部通気孔１５、１５は、３つの長方形状の孔を傾斜面１２、１２の傾斜方向に連続して開孔したものである。この３つの本体部通気孔１５、１５を一群として、これを所定の間隔を空けて複数箇所に形成する。
この本体部通気孔１５、１５の形状、数量は必ずしもこれのみに限定されず、２つの略楕円形状の孔を一群として、複数箇所に形成しても良い。
【００２０】
図３、図７に示すように、本体部通気孔１５、１５の下方には、遮断壁１６、１６が形成されている。遮断壁１６、１６は、本体部１１の傾斜面１２、１２に開孔された本体部通気孔１５、１５の縁部のうち傾斜方向の上側の縁部から下方へ延長し、更に傾斜面１２、１２とほぼ同じ傾斜方向へ傾斜させて延長したものである。遮断壁１６、１６は、本体部通気孔１５、１５の開孔面積のうちほぼ半分程度を遮断している。
【００２１】
図１、図７に示すように、本体部１１の傾斜面１２、１２の裏面側に受部２１、２１を取り付け、本体部１１を上面とする中空体２２、２２を形成する。図４に示すように、受部２１、２１の断面は上面が開放された略コの字状の形態であり、その開放された部分が開孔されている本体部通気孔１５、１５を含む本体部１１の裏面側に位置して傾斜面１２、１２と対面するように取り付ける。かくして、本体部１１と受部２１、２１により内部が中空となる中空体２２を形成することができ、その内部の気体が本体部通気孔１５、１５を経て本体部１１の上面側に排出することができる。
【００２２】
図４に示すように、受部２１、２１は、左右対称の一対のものであって、平坦な底面２３、２３と、その底面２３、２３の開口部側の縁から立ち上がる内方端板２４、２４と、その底面２３、２３の外方側の縁から立ち上がる外方端板２５、２５とからなる。  内方端板２４、２４には方形状に開孔された中空体通気部分２６、２６が複数形成されている。中空体通気部分２６、２６は、この形状、個数に限定されず、大きな１つの長円状の中空体通気孔としても良い。
また、受部２１、２１の側面には側壁２９、２９が形成され、雨水の浸入を適切に防止するようにしている。
【００２３】
図４、図７に示すように、内方端板２４、２４と外方端板２５、２５の上端から本体部１１の傾斜角度と同じ角度に折り曲げ、その部分を本体部重ねしろ２７、２７とする。この本体部重ねしろ２７、２７と本体部１１とを重ね合わせ、その重ね合わせた部分にビス等の固定具７、７を挿通して、本体部１１と受部２１、２１とを固定する。
【００２４】
図４に示すように、底面２３、２３のうち外方端板２５、２５に近い位置に複数箇所、円形の開孔部分を設け、排出孔２８、２８とする。この排出孔２８、２８はこの形に限定されず、大きな長方形状の孔等、その他の形状でもよい。
【００２５】
また、図２、４に示すように、受部２１、２１の底面２３、２３の裏面側に、水切り３１、３１を取り付ける。
水切り３１、３１は、受部２１、２１と同じく、左右対称の一対のものであり、水切り傾斜面３２、３２、水切り立ち上がり面３３、３３、水切り折り返し面３４、３４とからなる。
【００２６】
水切り傾斜面３２、３２は、受部２１、２１の底面２３、２３と同じ角度で傾斜する平面状のものである。水切り立ち上がり面３３、３３は水切り傾斜面３２、３２の開口部側の縁部を延長して上方へ立ち上げたものであり、水切り折り返し面３４、３４は水切り立ち上がり面３３、３３の上縁を外方へ折り返したものである。
【００２７】
水切り傾斜面３２、３２は、受部２１、２１の底面２３、２３を開口部側に延長するように取り付ける。この水切り傾斜面３２、３２による受部２１、２１の底面２３、２３を延長して、水切り立ち上がり面３３、３３や水切り折り返し面が開口部５の両側縁の上方に位置するようにする。具体的には、建造物の大きさにより適宜、変更が可能であるが、受部２１、２１の底面２３、２３のうち、外方面２５、２５から開口部側面２４、２４までの長さの、約０．５から１．５倍程度の長さとする。
【００２８】
図７に示すように、水切り３１、３１を受部２１、２１の底面２３、２３の裏面側に重ねて取り付けたものを、長ビス等の固定具７、７により、本体部１１、設置材６、６及び野地板４、４に固定する。固定具７、７は水切り傾斜面３２、３２と中空体２１、２１の底面２３、２３との重ね合わせた部分に挿通されているので、これにより水切り３１、３１が受部２１、２１に固定される。
【００２９】
水切り３１、３１の取り付けはこの方法のみに限定されず、両面テープによる固定や、受部２１、２１と水切り３１、３１との固定を、本体部１１と設置材６、６との固定と別の固定具により固定してもよい。
【００３０】
図５に示すように、本考案の受部の第二実施例として、水切り３１、３１と受部２１、２１とを別部材とせずに一つの受部５１、５１としても良い。この場合、受部５１、５１の底面５２、５２を延長し、立ち上げて水切り立ち上がり面５３、５３とし、その上縁を折り返して水切り折り返し面５４、５４とする。
そして、この側方にも側壁５５、５５が形成され、雨水の浸入を適切に防止するようにしている。
第二実施例の受部５１、５１は第一実施例と比べて、中空体通気孔がなく、水切り折り返し面５４、５４の上側から屋内気が中空体へ流入する。
図示しないが、受部５１の底面５２、５２の上面から本体部１１と固定するための固定部を、上方へ掛け渡してもよい。
【００３１】
図６に示すように、カバー２は中央部分の頂部４３と、その頂部４３から左右両側へ傾斜するカバー傾斜面４４、４４と、カバー傾斜面４４、４４の外方縁から下方向へ折曲したカバー遮断壁４５、４５とを有する。
また、カバー２にも側壁４６、４６が形成され、雨水の浸入を適切に防止するようにしている。
図６に示すように、カバー傾斜面４４、４４は本体部１１の傾斜面１２、１２とほぼ同じ角度で傾斜するものであり、カバー遮断壁４５、４５はその長さが折り返し延長面１４、１４にまで達せず（図７参照）、このカバー遮断壁４５、４５と折り返し延長面１４、１４との間から屋内気が屋外へ排出される。
【００３２】
次に、本考案の換気棟１の建造物への取り付け方法について説明する。
図７に示すように、建造物の屋根が急勾配であって、横葺きの金属屋根３である場合にも換気棟１を取り付けることができる。
【００３３】
図７に示すように、建造物の頂部の野地板４、４を屋根の傾斜に沿って、下方向へ移行することで、建造物の頂部を開口する開口部５とする。この開口部５の両側の野地板４、４に、一定長さの設置材６、６を取り付ける。その設置材６、６上に受部２１、２１と水切り３１、３１を取り付けた本体部１１を配置し、長ネジによる固定具７、７により固定する。
そして、本体部１１にカバー取付台４１、４１を複数箇所に配置し、各カバー取付台４１、４１を介して固定具７、７により本体部１１にカバー２を取り付ける。
【００３４】
図８に示すように、建造物の屋根が急勾配であって、縦葺きの金属屋根８、８であっても換気棟１を取り付けることができる。
縦葺きの金属屋根８、８の場合、各々の金属屋根の間に凸状となる繋ぎ目９、９が存在する。この場合、設置材６、６を縦葺きの金属屋根８、８の繋ぎ目９、９と同じ高さにすると、換気棟１を取り付けることができる。この場合、本体部１１の折り返し延長面１４、１４が繋ぎ目９、９の上側に位置する。
【００３５】
縦葺きの金属屋根８、８に換気棟１を取り付ける場合、設置材６、６の高さを繋ぎ目９、９の高さと必ずしも一致させる必要はない。ただし、設置材６、６を繋ぎ目９、９よりも高くすることは必要である。
【００３６】
このように、本考案の換気棟は金属屋根においても取り付けることができ、さらに横葺きと縦葺きのいずれにも取り付けることができる。
また、本体部１１の裏面側に受部２１、２１が取り付けられ、厚みが少なく、より意匠的に優れた換気棟を提供することができる。
【００３７】
瓦などの金属屋根以外の屋根材を用いた建造物に換気棟１を取り付ける場合、水切り３１、３１を開口部５の両側で野地板４、４と屋根材との間に挟み込んで配置していた。しかし、金属屋根を用いた場合には、野地板４、４と金属屋根との間に水切り３１、３１を挟み込むことは、金属屋根を取り付ける上で、難しかった。
【００３８】
しかし、本考案の換気棟１にあっては、水切り３１、３１が受部２１、２１から延長して配置される形態であるから、金属屋根に換気棟１を取り付ける場合であっても、取り付けが可能になる。
しかも、横葺きの金属屋根３、３のみならず、縦葺きの金属屋根８、８にも取り付けることができ、汎用性の高い換気棟１を提供することができる。
【００３９】
また、本体部１１と受部２１、２１と水切り３１、３１とを予め取り付けた状態で販売することができ、施工業者にとって水切りを別途建造物に取り付ける必要がなくなり、取り付けが容易になる。
【００４０】
また、図９に示す換気棟１は緩勾配の屋根１０に取り付けたものであるが、急勾配の屋根に換気棟１を取り付ける場合は、緩勾配の屋根に比べて、設置材６、６を開口部５の両側のすぐ近くに位置させなければならない。
このように、急勾配の屋根に換気棟１を取り付ける場合、長ビス等の取付具７、７による本体部１１及び受部２１の取り付け位置は、緩勾配の屋根のものよりも、開口部５の近くに位置させなければならない。
従来の受部２１、２１のみでは設置材６、６に取り付けるための取り付け面積が狭く、急勾配の屋根には安定的に取り付けることができなかった。本考案の換気棟１は、受部２１、２１の底面２３、２３を延長するように取り付けられている水切り３１、３１があることにより、取り付け面積を十分に確保することができ、安定的に急勾配の屋根にも取り付けることが可能になる。
【００４１】
次に、換気棟１の通気経路について図１０を参照して説明する。
開口部５からの屋内気は上方へ上がり、水切り３１、３１の水切り折り返し面３４、３４の上方を通る（矢印線Ａ）。その後、中空体通気孔２６、２６を通過し、中空体２２、２２へ入り、更に本体部通気孔１５、１５を通り、本体部１１の上方へ抜ける（矢印線Ｂ）。そして、本体部１１の上方とカバー２との間を通り、カバー遮断壁４５、４５と本体部１１の折り返し傾斜面１４、１４との間から、屋外へ排出される（矢印線Ｃ）。
【００４２】
一方、カバー遮断壁４５、４５と折り返し傾斜面１４、１４の間から、建造物の外側からの雨水等が流入する入る可能性がある（矢印線Ｄ）。しかし、本体部通気孔１５、１５が傾斜しており、同じく傾斜する本体部遮断壁１６、１６が形成されているので、これに遮断されると、傾斜方向に沿って、雨水が落ち、中空体２２、２２の外方へ流れる。この中空体２２、２２の外方には排出孔２８、２８が形成されているので、ここから排出される（矢印線Ｅ）。
【００４３】
また、本考案においては水切り３１、３１が受部２１、２１の底面２３、２３を延長するように取り付けられているので、この部分に熱膨張材を配置することが可能になる。
具体的には、図１１に示すように、受部２１、２１の内方端板２４、２４に沿って、適宜間隔を空けて網材６１、６１を取り付け、網材６１、６１で囲った部分に熱膨張材６２、６２を取り付ける。
水切りを延長したことで、通気経路であり、かつ、熱膨張材６２を置くことができ、しかも、水切り３１、３１は水切り立ち上がり面３３、３３と水切り折り返し面３４、３４とがあるので、熱膨張材６２が膨張したとしても、開口部５にまで落ち込むことはなく、清掃の必要がない。
【００４４】
熱膨張材６２は約２００度で膨張し、換気棟１の通気経路を遮断する。主に、建造物の外部で火災等が発生した場合、換気棟１の通気経路から高温の気体が流入するが、熱膨張材６２が膨張し、換気棟１の通気経路を遮断すると、外部からの高温の気体が流入しない。これにより、建造物の外部で火災等が発生したとしても、建造物の内部の温度の上昇を抑えることが可能になる。
【符号の説明】
【００４５】
１…換気棟、２…カバー、５…開口部、１１…本体部、１５…本体部通気孔、１６…遮断壁、２１…受部、２２…中空体、２３…底面、２６…中空体通気部分、２８…排出孔、３１…水切り、３２…水切り傾斜面、４１…カバー取付台
【図１】
0003170580.tif 000003
【図２】
0003170580.tif 000004
【図３】
0003170580.tif 000005
【図４】
0003170580.tif 000006
【図５】
0003170580.tif 000007
【図６】
0003170580.tif 000008
【図７】
0003170580.tif 000009
【図８】
0003170580.tif 000010
【図９】
0003170580.tif 000011
【図１０】
0003170580.tif 000012
【図１１】
0003170580.tif 000013